(57)【要約】【課題】立設作業を容易におこなうことができる組立式フェンスを提供する。【解決手段】組立式フェンスにおいて、複数のフェンスユニットを配置面上に長手方向に並べて立設することで、空間に仕切りを形成する組立式フェンスであって、各フェンスユニットは、フェンス本体部と、フェンス本体部と一体に設けられ、フェンス本体部の下端より下方に突出して配置面から地中に差し込まれる差込部が形成された一本の杭部と、を備える。【選択図】図１
2017193894.tif 000002
【特許請求の範囲】
【請求項１】
複数のフェンスユニットを配置面上に長手方向に並べて立設することで、空間に仕切りを形成する組立式フェンスであって、
前記各フェンスユニットは、
フェンス本体部と、
前記フェンス本体部と一体に設けられ、前記フェンス本体部の下端より下方に突出して前記配置面から地中に差し込まれる差込部が形成された一本の杭部と、
を備える組立式フェンス。
【請求項２】
前記フェンス本体部には、前記杭部から前記長手方向に所定距離離れて前記杭部と平行に設けられ、前記フェンス本体部の下端から前記杭部の前記差込部より短い長さ下方に突出して、前記配置面から地中に差し込まれる補助差込部を備えた請求項１に記載の組立式フェンス。
【請求項３】
前記杭部は、前記フェンス本体部の長手方向の中心部に設けられている請求項１または２に記載の組立式フェンス。
【請求項４】
前記杭部は、上方からハンマによって衝打される衝打部が前記差込部の上方に同軸に形成され、前記衝打部の上端は、前記ハンマが上下可能な空間に露出している請求項１ないし請求項３のいずれか１項に記載の組立式フェンス。
【請求項５】
前記フェンス本体部には、上下の端部において、前記長手方向に延在する上・下横桟が設けられ、
前記上・下横桟の前記フェンス本体部の長手方向の一方端から突出する一方端部に上下方向に開口する上・下係合穴が形成され、
前記上・下横桟の前記フェンス本体部の長手方向の他方端から突出する他方端部に上下方向に延在し、前記上・下係合穴に係合する上・下係合軸が形成され、
前記上・下係合軸は、前記下係合軸が前記上係合軸よりも長く形成されている請求項１ないし請求項４のいずれか１項に記載の組立式フェンス。
【発明の詳細な説明】
【技術分野】
【０００１】
本発明は、施工のための特別な工事を必要とすることなく、複数のフェンスユニットを並べて簡単に立設することができる組立式フェンスに関する。
【背景技術】
【０００２】
従来、庭や花壇等の土地の区画を行うフェンスには、特別な工事を必要としないで、簡易に施工できるものが要望される場合が多い。
そのような従来技術のフェンスとして、図１４、図１５には、組立式フェンスが記載されている。この組立式フェンスを構成する一枚のフェンス１０１の両側の側部には、夫々上下に環状の上側係合部１０２Ｒ，１０２Ｌおよび下側係合部１０３Ｒ，１０３Ｌを備えている。これらの係合部は、図１４において右側の上側係合部１０２Ｒおよび下側係合部１０３Ｒが左側の上側係合部１０２Ｌおよび下側係合部１０３Ｌよりも少し低い位置に夫々設けられている。これによって、隣り合うフェンス１０１，１０４を同じ支柱１０５に組み付けた際に、上下方向に相互にずれることで、隣り合うフェンス１０１，１０４が同じ高さで組み付けられるようになっている。支柱１０５は、地面に差し込むことで固定するようになっている。また、フェンス１０１の高さは、配置面ＧＤにフェンス１０１の下端部を当接することで、調整するようになっている。
また、従来の別の組立式フェンス２０１として、図１６に示すように、フェンス本体部２０４の下端に、複数本（図１６においては二本）の同じ長さの杭部２０３ｌ，２０３ｒを配置面ＧＤから地中ＵＧＤに差し込むものが知られている。
【発明の概要】
【発明が解決しようとする課題】
【０００３】
従来、組立式フェンス（図１４、図１５）は、支柱１０５とフェンス１０１が別体であるため、立設作業の順番によって以下の問題がある。
先にフェンス１０１を立てて、後から支柱１０５を組み付ける場合は、隣接する二つのフェンス１０１を先に立てて保持し、上方に高く掲げた支柱１０５の下端を、上側係合部１０２Ｒ，１０２Ｌおよび下側係合部１０３Ｒ，１０３Ｌのリング状の嵌合穴に通すことで行なう必要がある。この場合は、後から組み付ける支柱１０５を正確に垂直に立たせて地中に差し込む作業が困難であった。
【０００４】
また、支柱１０５を先に地面に立て、後からフェンス１０１を組み付ける場合は、装飾用の頭部１０５ａを取り外した複数の支柱１０５を垂直に揃えて並べる。そして、隣接する二つのフェンス１０１を支柱１０５よりも高く持ち上げて、各フェンス１０１の下側係合部１０３Ｒ，１０３Ｌの嵌合穴、上側係合部１０２Ｒ，１０２Ｌの嵌合穴の順に支柱１０５を通す。これは、非常に手間がかかり困難な作業となる。
また、図１６の組立式フェンス２０１においては、二本の杭部２０３ｌ，２０３ｒを差し込む地盤の固さが異なる場合がある。この場合には、二本の杭部２０３ｌ，２０３ｒを均等に差し込むことが困難となり、フェンス本体部２０４を真っ直ぐに立設するのに手間がかかるという問題があった。
また、図１４、図１５の組立式フェンスの支柱１０５および図１６の組立式フェンス２０１の杭部２０３ｌ，２０３ｒにおいて、地盤が非常に固い場合には、支柱１０５や杭部２０３ｌ，２０３ｒを地中に差し込むための力を効率よく加えて立設することが困難であった。
【０００５】
本発明は、上述した問題を解消するためになされたもので、配置面への立設作業を容易におこなうことができる組立式フェンスを提供することを目的とする。
【課題を解決するための手段】
【０００６】
上記の課題を解決するために、請求項１に係る組立式フェンスにおいて、複数のフェンスユニットを配置面上に長手方向に並べて立設することで、空間に仕切りを形成する組立式フェンスであって、前記各フェンスユニットは、フェンス本体部と、前記フェンス本体部と一体に設けられ、前記フェンス本体部の下端より下方に突出して前記配置面から地中に差し込まれる差込部が形成された一本の杭部と、を備えることである。
【発明の効果】
【０００７】
これによると、フェンスユニットは、フェンス本体部と杭部とが一体であるので、フェンスを組み立てる際には、フェンス本体部を垂直に立てて保持し、フェンス本体部と一体になった一本の杭部の差込部を配置面から地中に差し込むだけで、フェンスユニットを容易に立設することができる。また、フェンスユニットは、フェンス本体部と杭部とが一体なので、製造コストの低減を図ることができる。
【図面の簡単な説明】
【０００８】
【図１】本発明の第一実施形態における組立式フェンスの正面図である。
【図２】組立式フェンスの平面図である。
【図３】最初のフェンスユニットの上部に設けられる上係合軸と隣接するフェンスユニットの上部に設けられる上係合穴との係合状態をしめす正面から見た拡大図である。
【図４】図３を下方から見た拡大図である。
【図５】最初のフェンスユニットの下部に設けられる下係合軸と隣接するフェンスユニットの下部に設けられる下係合穴との係合状態をしめす正面から見た拡大図である。
【図６】最初のフェンスユニットを配置面に配置する状態を示す図である。
【図７】最初のフェンスユニットを配置面にハンマで衝打して差し込む状態を示す図である。
【図８】最初のフェンスユニットの左側に二番目のフェンスユニットを配置する状態を示す図である。
【図９】二番目のフェンスユニットを配置面にハンマで差し込む状態を示す図である。
【図１０】二番目のフェンスユニットの施工が終了した状態を示す図である。
【図１１】第二実施形態におけるフェンスユニットの正面図である。
【図１２】第三実施形態におけるフェンスユニットの正面図である。
【図１３】第四実施形態におけるフェンスユニットの正面図である。
【図１４】従来例のフェンスの正面図である。
【図１５】従来例のフェンスの図１４におけるXV-XV断面図である。
【図１６】従来例の別のフェンスの正面図である。
【発明を実施するための形態】
【０００９】
（第一実施形態）
本発明の組立式フェンスの第一実施形態について、図１〜図１０に基づいて以下に説明する。なお、本件明細書において、図１において、向かって右方を右側、向かって左方を左側、紙面の手前を前側、紙面の後方を後側、紙面の上方を上方、紙面の下方を下方として説明する。また、フェンスユニット２が延在する左右方向を長手方向とする。
【００１０】
図１に示すように、本実施形態による組立式フェンス１を構成するフェンスユニット２は、主に、配置面ＧＤより地中ＵＧＤに下端部が差し込まれて立設される杭部３と、前後方向の幅が狭く形成され長手方向に延在する略矩形状のフェンス本体部４と、フェンス本体部４の右側の側方部に設けられた係合軸５と、フェンス本体部４の左側の側方部に設けられた係合穴６と、により構成されている。杭部３は、フェンス本体部４における長手方向の中心部ＣＬに設けられている。これらの杭部３、フェンス本体部４（いずれも後述する上・下横桟４ｕ，４ｄ、逆Ｕ字縦桟４ｖ、上・下係合軸５ｕ，５ｄおよび上・下係合穴６ｕ，６ｄ）は、例えば、アルミニウム合金製鋳物によって、一体に形成されている。
【００１１】
杭部３は、下端を尖った棒状に形成された差込部３ａと、差込部３ａに連続して棒状に形成された立柱部３ｂと、衝打部としての頭部３ｃとを、備えている。杭部３は、例えば、アルミニウム合金製鋳物により円柱状の中実部材で形成されている。
【００１２】
差込部３ａは、フェンス本体部４の下端より突出する部分で構成されている。差込部３ａには、下端より差込部３ａが配置面ＧＤより地中ＵＧＤに差し込まれる所定長さ位置まで、所定長さ毎に分割されかつ連結された返し部３ａ１が複数個所（本実施形態では八箇所）に形成されている。各返し部３ａ１は、下方より上方に向かって外径を漸増させて形成され、地中ＵＧＤに差し込まれた差込部３ａが容易に抜脱するのを防止する。
【００１３】
立柱部３ｂは、差込部３ａの上端より連続して、フェンス本体部４の丈幅を超える長さまで延在している。立柱部３ｂの先端には、側面の中央部が膨らんだ樽形に形成された頭部３ｃが設けられている。頭部３ｃは、中実部材であって、図２に示すように、頭部３ｃの先端は平らな打撃面３ｃ１が形成されている。頭部３ｃは、差込部３ａと同軸に形成されている。打撃面３ｃ１は、ハンマ７が上下操作可能な空間ＷＳに露出している。杭部３において、差込部３ａ、立柱部３ｂおよび頭部３ｃは、一体に形成されている。
【００１４】
フェンス本体部４は、上下に配され長手方向に延在する上横桟４ｕおよび下横桟４ｄと、上下に延在して上横桟４ｕおよび下横桟４ｄと交差するとともに、逆Ｕ字形に形成された複数（本実施形態では、八つ）の逆Ｕ字縦桟４ｖとを、有している。
上横桟４ｕおよび下横桟４ｄは、例えば、アルミニウム合金製鋳物により断面方形状の中実部材で形成されている。上横桟４ｕが配されている位置は、杭部３の立柱部３ｂの上部であり、立柱部３ｂに対して直角に交差して形成されている。下横桟４ｄが配されている位置は、杭部３の立柱部３ｂの下部であり、下横桟４ｄは立柱部３ｂに対して直角に交差して形成されている。上横桟４ｕおよび下横桟４ｄと杭部３の立柱部３ｂとは、交差した部分で結合して一体に形成されている。
【００１５】
逆Ｕ字縦桟４ｖは、図１において、上横桟４ｕおよび下横桟４ｄに沿って八つ並んで配置されている。八つの逆Ｕ字縦桟４ｖのうち中央の二つの逆Ｕ字縦桟４ｖｒ１，４ｖｌ１の間、すなわち上横桟４ｕおよび下横桟４ｄの中心部ＣＬには、杭部３が配置されている。杭部３から右側に四つの逆Ｕ字縦桟４ｖｒ１，４ｖｒ２，４ｖｒ３，４ｖｒ４が配置され、杭部３から左側に四つの逆Ｕ字縦桟４ｖｌ１，４ｖｌ２，４ｖｌ３，４ｖｌ４が配置されている。
杭部３を挟んで杭部３に隣接する二つの逆Ｕ字縦桟４ｖｒ１，４ｖｌ１は、少し広く間隔があけられて配置されている。杭部３の右側において互いに隣接する逆Ｕ字縦桟４ｖｒ１，４ｖｒ２，４ｖｒ３，４ｖｒ４の間、および杭部３の左側において互いに隣接する逆Ｕ字縦桟４ｖｌ１，４ｖｌ２，４ｖｌ３，４ｖｌ４の間は、それぞれ均等な間隔で配置されている。
また、各逆Ｕ字縦桟４ｖｒ１，４ｖｒ２，４ｖｒ３，４ｖｒ４，４ｖｌ１，４ｖｌ２，４ｖｌ３，４ｖｌ４は、全て同様な形状寸法で形成されている。
そのため、逆Ｕ字縦桟４ｖについて、中心部ＣＬの右側の逆Ｕ字縦桟４ｖｒ１で代表して、以下に説明する。
逆Ｕ字縦桟４ｖｒ１は、例えば、アルミニウム合金製鋳物により断面方形状の中実部材で形成されている。逆Ｕ字縦桟４ｖｒ１は、逆Ｕ字形のうち上方に配置される湾曲部４ｖ１と、湾曲部４ｖ１の下端部に夫々に連続し下方に向かって平行に延在する平行柱部４ｖ２と、を有している。逆Ｕ字縦桟４ｖは、逆Ｕ字形のうち湾曲部４ｖ１が、上横桟４ｕの上方に配置されるように上横桟４ｕと平行柱部４ｖ２の上部とが交差し、交差部分で上横桟４ｕと平行柱部４ｖ２とは結合して一体に形成されている。逆Ｕ字縦桟４ｖｒ１は、逆Ｕ字形のうち下方に配置される対となった平行柱部４ｖ２の下端部４ｖ３が、下横桟４ｄと連続し、連続部分で一体に形成されている。
【００１６】
上横桟４ｕ・下横桟４ｄの左側端部（一方端部）には、図１に示すように、左側端（一方端）より突出する係合穴６が形成されている。係合穴６は、上係合穴６ｕと下係合穴６ｄとを有している。
上係合穴６ｕは、上横桟４ｕの左側端部に一体に形成され、左側端（一方端）から突出する。図３および図４に示すように、上係合穴６ｕは、上横桟４ｕに連続して上方の材料を略半分削除した状態で、かつ上下方向が開口した環状に形成されている。
下係合穴６ｄは、下横桟４ｄの左側の端部に一体に形成され、左側端（一方端）から突出する。図４および図５に示すように、下係合穴６ｄは、下横桟４ｄに連続して上方の材料を略半分削除した状態で、かつ上下方向が開口した環状に形成されている。
【００１７】
上横桟４ｕ・下横桟４ｄの右側端部（他方端部）には、図１に示すように、右側端（他方端）から突出する係合軸５が形成されている。係合軸５は、上係合軸５ｕと下係合軸５ｄとを有している。
上係合軸５ｕは、上横桟４ｕの右側端部に一体に形成されている。上横桟４ｕの右側端部には、上横桟４ｕの右側端部の下方の材料を略半分削除した状態に形成された上部上方薄板部５ｕ１が形成されている。上係合軸５ｕは、図３および図４に示すように、略円柱状に形成され、上部上方薄板部５ｕ１の下面より下方に所定長さ突出する。上係合軸５ｕは、上下方向に延在しているが、本実施形態では、上端部が上部上方薄板部５ｕ１に固定され、下方に突出した上係合軸５ｕの下端部は、半球状に形成されている。
上係合穴６ｕには、隣接する他のフェンスユニット２ｓの上係合軸５ｕが上方から着脱可能に係合するようになっている。上係合穴６ｕに上係合軸５ｕが係合した場合、上係合軸５ｕが固定された上部上方薄板部５ｕ１と上係合穴６ｕとは、夫々上下方向の厚みが、上横桟４ｕの半分となっている。そのため、上係合穴６ｕと上係合軸５ｕとが係合した際に重なって、上横桟４ｕの上下方向の幅が、外観上連続するように構成されている。
【００１８】
下係合軸５ｄは、下横桟４ｄの右側の端部に一体に形成されている。図４および図５に示すように、下横桟４ｄの右側の端部には、下横桟４ｄに連続して下横桟４ｄの右側端部の下方の材料を略半分削除した状態に下部上方薄板部５ｄ１が形成されている。下係合軸５ｄは、略円柱状に形成され、下部上方薄板部５ｄ１の下面より下方に所定長さ突出する。下係合軸５ｄは、上下方向に延在しているが、本実施形態では、上端部が下部上方薄板部５ｄ１に固定され、下係合軸５ｄの下端部は、半球状に形成されている。下係合軸５ｄは、上係合軸５ｕが突出する所定長さよりも長く形成されている。
下係合穴６ｄには、隣接する他のフェンスユニット２ｓの下係合軸５ｄが上方から着脱可能に係合するようになっている。下係合穴６ｄに下係合軸５ｄが係合した場合、下係合軸５ｄが固定された下部上方薄板部５ｄ１と下係合穴６ｄとは、夫々上下方向の厚みが、下横桟４ｄの半分となっている。そのため、下係合穴６ｄと下係合軸５ｄとが係合した際に重なって、下横桟４ｄの上下方向の幅が、外観上連続するように構成されている。
【００１９】
次に、第一実施形態における組立式フェンスを使って、配置面ＧＤに組み立てる手順について、図６〜図１０に基づいて以下に説明する。
まず、図６に示すように、作業者は、フェンスユニット２の一つ（以下、最初のフェンスユニット２ｆという。）を、配置面ＧＤに対して垂直に保持するとともに、組立式フェンス１が囲いを構成する方向に沿うようにフェンス本体部４を位置決めする。この場合、作業者は、係合穴６の有る最初のフェンスユニット２ｆの左側に、次に、組み付ける隣接するフェンスユニット２ｓが配置されることを予定して、最初のフェンスユニット２ｆを位置決めする。最初のフェンスユニット２ｆを配置面ＧＤに立てる作業において、杭部３は、フェンス本体部４の長手方向の中心部にあるため、作業者は、最初のフェンスユニット２ｆの保持をバランスよく容易に行なうことができる。そして、作業者は、杭部３を配置面ＧＤに垂直に差し込んでゆく。
【００２０】
作業者は、差し込む際に、配置面ＧＤの地盤が固い場合には、図７に示すように、ハンマ７で杭部３の頭部３ｃ（立柱部３ｂ）の打撃面３ｃ１を打撃することで、杭部３の差込部３ａを配置面ＧＤから地中ＵＧＤに差し込むことができる。差し込まれた杭部３には、返し部３ａ１が設けられているので、配置面ＧＤから抜けづらく、最初のフェンスユニット２ｆを安定して保持することができる。
【００２１】
次に、作業者は、配置面ＧＤに配置された最初のフェンスユニット２ｆに、並べて隣接するフェンスユニット２ｓを位置決めする。作業者は、図８に示すように、最初のフェンスユニット２ｆの左側の係合穴６に、隣接する二番目のフェンスユニット２ｓの係合軸５を係合するように位置決めする。係合軸５は、係合穴６に対して上方から係合できるため、作業者は、係合作業を容易に行なうことができる。
【００２２】
作業者は、二番目のフェンスユニット（隣接する他のフェンスユニット）２ｓを、最初のフェンスユニット２ｆと同様に杭部３を垂直にして配置面ＧＤから地中ＵＧＤに差し込んでゆく。この場合においても、図９に示すように、配置面ＧＤの地盤が固い場合には、作業者は、ハンマ７で杭部３の頭部３ｃの打撃面３ｃ１を衝打して、杭部３の差込部３ａを配置面ＧＤに差し込むことができる。また、作業者は、隣接するフェンスユニット２ｓの下係合軸５ｄを、最初のフェンスユニット２ｆの下係合穴６ｄに最初に係合させる。下係合軸５ｄの突出量が上係合軸５ｕの突出量より多いため、作業者は、下係合軸５ｄを下係合穴６ｄに引掛けて仮止めした状態で、上係合軸５ｕを上係合穴６ｕに調整しながら確実に係合することができる。そして、作業者は、二番目のフェンスユニット２ｓの差込部３ａを配置面ＧＤにさらに差し込んで、二番目のフェンスユニット２ｓの施工を終了する（図１０参照）。上係合軸５ｕと上係合穴６ｕとは、上横桟４ｕに一体に形成され、下係合軸５ｄと下係合穴６ｄとは、下横桟４ｄに一体に形成されている。そのため、作業者は、隣接するフェンスユニット２，２ｓ同士を堅固に係合することができる。三番目以降のフェンスユニット（図略）についても同様に施工が実行される。
【００２３】
上記の記述で明らかなように、第一実施形態における組立式フェンス１は、複数のフェンスユニット２を配置面ＧＤ上に長手方向に並べて立設することで、空間に仕切りを形成する組立式フェンス１であって、各フェンスユニット２は、フェンス本体部４と、フェンス本体部４と一体に設けられ、フェンス本体部４の下端より下方に突出して配置面ＧＤから地中ＵＧＤに差し込まれる差込部３ａが形成された一本の杭部３と、を備える。
【００２４】
これによると、フェンスユニット２は、フェンス本体部４と杭部３とが一体であるので、フェンスユニット２を立設させる際には、フェンス本体部４を垂直に立てて保持し、杭部３の差込部３ａを配置面ＧＤから地中ＵＧＤに差し込むだけで、フェンスユニット２を容易に立設することができる。
【００２５】
また、杭部３は、フェンス本体部４の長手方向（左右方向）の中心部ＣＬに設けられている。
これによると、杭部３がフェンス本体部４の長手方向の中心部ＣＬに設けられているので、差込部３ａを配置面ＧＤに差し込む際に、フェンス本体部４をバランスよく垂直に立てて保持することができ、杭部３の差込部３ａを配置面ＧＤから地中ＵＧＤに容易に差し込むことができる。
【００２６】
また、杭部３は、上方からハンマ７によって衝打される立柱部３ｂが差込部３ａの上方に同軸に形成され、立柱部３ｂの上端は、ハンマ７が上下可能な空間ＷＳに露出している。
これによると、差込部３ａを差し込む配置面ＧＤの地盤が固い場合でも、ハンマ７を用いて杭部３の立柱部３ｂを衝打することで、差込部３ａを配置面ＧＤに容易に差し込むことができる。
【００２７】
また、フェンス本体部４には、上下の端部において、長手方向に延在する上・下横桟４ｕ，４ｄが設けられ、上・下横桟４ｕ，４ｄのフェンス本体部４の長手方向の一方端（左端）から突出する一方端部（左側端部）に上下方向に開口する上・下係合穴６ｕ，６ｄが形成され、上・下横桟４ｕ，４ｄのフェンス本体部４の長手方向の他方端（右端）から突出する他方端部（右側端部）に上下方向に延在し、上・下係合穴６ｕ，６ｄに係合する上・下係合軸５ｕ，５ｄが形成され、上・下係合軸５ｕ，５ｄは、下係合軸５ｄが上係合軸５ｕよりも長く形成されている。
【００２８】
これによると、本実施形態のフェンスユニット２は、上・下係合軸５ｕ，５ｄは、上・下横桟４ｕ，４ｄの右側端部より下方に突出している。そのため、配置面ＧＤに立設されたフェンスユニット２ｆ（最初のフェンスユニット）の上・下横桟４ｕ，４ｄの一方端部（左側端部）に形成された上・下係合穴６ｕ，６ｄに、一方端部側（左端部側）に隣接するフェンスユニット２ｓ（二番目のフェンスユニット）の上・下係合軸５ｕ，５ｄを上方からスライドさせて係合する。下係合軸５ｄは、上係合軸５ｕよりも長いので、係合作業において、先に下係合軸５ｄと下係合穴６ｄとを引掛けて仮止めした状態で、上係合軸５ｕと上係合穴６ｕとを位置調整して確実かつ容易に係合することができる。
【００２９】
（第二実施形態）
次に、本発明の組立式フェンスの第二実施形態について、図１１に基づき以下に説明する。
第二実施形態における組立式フェンス２１は、フェンスユニット２２のフェンス本体部２４には、下横桟４ｄの下端面には、杭部３を挟んで対称となる位置に、一対の補助差込部２５ｒ，２５ｌが設けられている点において、第一実施形態の組立式フェンスと相違する。その他の構成は、第一実施形態の組立式フェンスと同様なので、同じ符号を付与して説明を省略する。
第二実施形態に係る組立式フェンス２１は、一対の補助差込部２５ｒ，２５ｌは、例えば、地中ＵＧＤに差し込まれる長さが、杭部３の差込部３ａの長さの半分以下の長さに設定されている。一対の補助差込部２５ｒ，２５ｌが配置される位置は、第二実施形態においては、杭部３から右側および左側の第二番目に位置する逆Ｕ字縦桟４ｖｒ２，４ｖｌ２の下方となっている。一対の補助差込部２５ｒ，２５ｌが配置される位置は、杭部３から下横桟４ｄの端部までの距離の３分１から３分の２の間の距離にあることが望ましい。
【００３０】
上記の記載で明らかなように、第二実施形態に係る組立式フェンス２１において、フェンス本体部２４には、杭部３の差込部３ａから所定長さ離れて差込部３ａと平行に設けられ、フェンス本体部２４の下端から、杭部３の差込部３ａよりも短い長さで下方に突出する補助差込部２５ｒ，２５ｌが、設けられている。補助差込部２５ｒ，２５ｌは、配置面ＧＤから地中ＵＧＤに差し込まれる。
【００３１】
これによると、組立式フェンス２１において、補助差込部２５ｒ，２５ｌは、差込部３ａが配置面ＧＤから地中ＵＧＤに或る程度に差し込まれた後に、地中ＵＧＤへの差し込みが開始される。そのため、補助差込部２５ｒ，２５ｌは、差込部３ａにガイドされた状態で差し込まれるので、補助差込部２５ｒ，２５ｌが、差込の際に差込方向が曲がることなく、フェンスユニット２を真っ直ぐに立設することができる。また、補助差込部２５ｒ，２５ｌは、差し込まれる深さも浅いので、配置面ＧＤに差込部３ａと補助差込部２５ｒ，２５ｌとを差し込む際に、抵抗を増大させることなく差込作業を容易に行なうことができる。配置面ＧＤに組み立てられた後に、フェンスユニット２に偏った外力が負荷された場合でも、杭部３を中心にフェンスユニット２が回転することが、補助差込部２５ｒ，２５ｌによって規制することができる。これによって、互いに係合されて組み立てられた各フェンスユニット２２の係合が解けるのを防止することができる。
なお、第二実施形態において、補助差込部２５ｒ，２５ｌを二本としたが、これに限定されず、例えば、補助差込部は、１本でもよく、３本以上でもよい。
【００３２】
（第三実施形態）
次に、本発明の組立式フェンスの第三実施形態について、図１２に基づき以下に説明する。
第三実施形態における組立式フェンス４１は、フェンスユニット４２において、杭部４３が上横桟４ｕまで延在していない。立柱部４３ｂの先端の頭部（衝打部）４３ｃは、中心部ＣＬの左右に配置された逆Ｕ字縦桟４ｖｒ１，４ｖｌ１の間にあって、ハンマ７が上下可能な空間ＷＳに露出している。さらに、下横桟４ｄの下端面には、杭部４３を挟んで対称となる位置に、一対の補助差込部２５ｒ，２５ｌが設けられている。第三実施形態における組立式フェンス４１は、これらの点において、第一実施形態の組立式フェンス１と相違する。その他の構成は、第一実施形態の組立式フェンス１と同様なので、同じ符号を付与して説明を省略する。
【００３３】
第三実施形態の組立式フェンス４１は、杭部４３の先端が上横桟４ｕまで延在していない。しかし、頭部４３ｃの上方には、ハンマ７を差し込んで上下させるだけの空間ＷＳが設けられている。そのため、杭部４３の立柱部４３ｂを短く形成した場合でも、頭部４３ｃを衝打して杭部４３を容易に打ち込むことができる。また、杭部４３を短くすることで、製造コストの低減を図ることができる。さらに、立柱部４３ｂを短くすることで、逆Ｕ字縦桟４ｖの上端や上横桟４ｕより上に突出する突起物（杭部４３）が無くなり、施工後に組立フェンス４１を使用する使用者の安全面に配慮した組立式フェンス４１とすることができる。
【００３４】
（第四実施形態）
次に、本発明の組立式フェンスの第四実施形態について、図１３に基づき以下に説明する。
第四実施形態における組立式フェンス７１のフェンスユニット７２において、フェンス本体部７４に対し、杭部７３が左側端部に設けられている点において第一実施形態における組立式フェンスと相違する。その他の構成は同様なので、同じ符号を添付して説明を省略する。以下に、相違点を詳述する。フェンス本体部７４の上・下横桟７４ｕ，７４ｄの左側端部は、第一実施形態の上・下横桟４ｕ，４ｄよりも左側に長く突出形成されている。そして、上・下横桟７４ｕ，７４ｄの左側端部には、杭部７３が直角に交差して設けられている。杭部７３と上・下横桟７４ｕ，７４ｄとは、交差した部分で連続して一体となっている。
【００３５】
第四実施形態のように、フェンス本体部７４の長手方向の中心部に杭部７３を配置することなく、フェンス本体部７４の左右いずれかの端部に杭部７３を配置してもよい。この場合においても、杭部７３は、フェンス本体部７４と一体に形成されているので、差込部７３ａを配置面ＧＤに位置合わせしてフェンス本体部７４を保持することで、フェンスユニット２の立設作業を容易に行なうことができる。杭部７３とフェンス本体部７４とが一体に形成されていることから製造コストの低減を図ることができる。
【００３６】
なお、上述した実施形態において、係合軸５ｕ，５ｄは、上・下横桟４ｕ，４ｄの右側端部より下方に突出するものとしたが、これに限定されない。例えば、上・下横桟４ｕ，４ｄの右側端部（或いは左側端部）より上方に突出していてもよい。この場合、先に立設されたフェンスユニットの係合軸に、隣接するフェンスユニットの係合穴を上方からスライドさせて係合する。
【００３７】
また、頭部３ｃは、杭部３の立柱部３ｂと一体としたが、別体でもよく、例えば立柱部に螺着するものでもよい。また、頭部の材料を鉄部材とすることで、ハンマ７の衝打による変形を小さなものとすることができる。
【００３８】
斯様に、上記した実施の形態で述べた具体的構成は、本発明の一例を示したものにすぎず、本発明はそのような具体的構成に限定されることなく、本発明の主旨を逸脱しない範囲で種々の態様を採り得るものである。
【符号の説明】
【００３９】
１…組立式フェンス、２…フェンスユニット、２ｆ…最初のフェンスユニット、２ｓ…二番目のフェンスユニット、３…杭部、３ａ…差込部、３ｂ…立柱部、３ｃ…頭部（衝打部）、４…フェンス本体、４ｄ…下横桟、４ｕ…上横桟、５…係合軸、５ｄ…下係合軸、５ｕ…上係合軸、６…係合穴、６ｄ…下係合穴、６ｕ…上係合穴、２１…組立式フェンス、２２…フェンスユニット、２４…フェンス本体部、２５ｒ…補助差込部、２５ｌ…補助差込部、４１…組立式フェンス、４２…フェンスユニット、４３…杭部、４３ａ…差込部、７１…組立式フェンス、７２…フェンスユニット、７３…杭部、７４…フェンス本体部、７４ｄ…下横桟、７４ｕ…上横桟、ＧＤ…配置面、ＵＧＤ…地中、ＷＳ空間。
【図１】
2017193894.tif 000003
【図２】
2017193894.tif 000004
【図３】
2017193894.tif 000005
【図４】
2017193894.tif 000006
【図５】
2017193894.tif 000007
【図６】
2017193894.tif 000008
【図７】
2017193894.tif 000009
【図８】
2017193894.tif 000010
【図９】
2017193894.tif 000011
【図１０】
2017193894.tif 000012
【図１１】
2017193894.tif 000013
【図１２】
2017193894.tif 000014
【図１３】
2017193894.tif 000015
【図１４】
2017193894.tif 000016
【図１５】
2017193894.tif 000017
【図１６】
2017193894.tif 000018